(57)【要約】【課題】現状の操作性を維持しつつ、紙幣通過センサによる誤動作を低減した紙幣ガイドトレイを備えた紙幣処理装置を提供する。【解決手段】この紙幣投入部４０は、紙幣を紙幣取扱装置１７内部に導く紙幣投入口７と、紙幣投入口７に投入される紙幣下面をガイドする紙幣ガイドトレイ１と、紙幣ガイドトレイ１に形成された排水穴６と、排水穴６よりも紙幣投入方向下流側の紙幣ガイドトレイ１の底面に形成したセンサ設置穴２と、センサ設置穴２内に配置された紙幣通過センサ８と、センサ設置穴２の周縁に沿って紙幣ガイドトレイ１の底面に形成した段差凹陥部４と、段差凹陥部４内に嵌合配置されて紙幣通過センサ８上部の検知面を被覆する透明板３と、段差凹陥部４と排水穴６とを連通する溝部１６と、を備えて構成されている。【選択図】図１
2010092276.tif 000002
【特許請求の範囲】
【請求項１】
紙幣を紙幣取扱装置内部に導く紙幣投入口に投入される紙幣下面をガイドする紙幣ガイドトレイと、該紙幣ガイドトレイに形成された排水穴と、前記排水穴よりも紙幣投入方向下流側の紙幣ガイドトレイ底面に形成したセンサ設置穴と、を備えた紙幣投入部の防水構造であって、
前記センサ設置穴と前記排水穴とを連通する溝部を備えたことを特徴とする紙幣投入部の防水構造。
【請求項２】
前記センサ設置穴は、その周縁に沿って前記紙幣ガイドトレイ底面に形成した段差凹陥部を有しており、該段差凹陥部内に嵌合配置されて前記センサ設置穴を被覆する透明板を配置したことを特徴とする請求項１に記載の紙幣投入部の防水構造。
【請求項３】
前記紙幣ガイドトレイを設定した状態において、前記透明板は前記排水穴より高い位置に配置されることを特徴とする請求項１又は２に記載の紙幣投入部の防水構造。
【請求項４】
前記排水穴の形状は、非円形であることを特徴とする請求項１乃至３の何れか一項に記載の紙幣投入部の防水構造。
【請求項５】
請求項１乃至４の何れか一項に記載の紙幣投入部の防水構造を備えたことを特徴とする紙幣取扱装置。
【発明の詳細な説明】
【技術分野】
【０００１】
本発明は例えば紙幣を入金する機能を備えた各種自動販売機、入出金装置、両替機等の紙幣取扱装置に装備される紙幣投入部の改良に関し、特に紙幣投入口に装備した紙幣通過センサの検知部に浸入しようとする雨水を効果的に排出することができる紙幣投入部の防水構造、及び紙幣取扱装置に関する。
【背景技術】
【０００２】
投入された紙幣を受け入れる入金機能や、釣り銭や払出し金として紙幣を払い出す出金機能を備えた紙幣処理装置は各種自動販売機、入出金装置、両替機等の紙幣取扱装置に装備されており、この紙幣処理装置には紙幣投入口に雨水が浸入することを防止するための防水構造が設けられている。
図４（ａ）は従来の紙幣処理装置の紙幣投入口にある紙幣投入部５０の外観斜視図であり、図４（ｂ）はその平面図である。図５は、紙幣投入部５０を紙幣処理装置に装着した場合に、雨水による誤検知を説明するための断面図である。この紙幣投入部５０は、紙幣を紙幣取扱装置１７内部に導く紙幣投入口７と、紙幣投入口７に投入される紙幣下面をガイドする紙幣ガイドトレイ１と、紙幣ガイドトレイ１に形成された排水穴６と、排水穴６よりも紙幣投入方向下流側の紙幣ガイドトレイ１の底面に形成したセンサ設置穴２と、センサ設置穴２内に配置された紙幣通過センサ８（図示せず）と、センサ設置穴２の周縁に沿って紙幣ガイドトレイ１の底面に形成した段差凹陥部４と、段差凹陥部４内に嵌合配置されて紙幣通過センサ８上部の検知面を被覆する透明板３と、を備えて構成されている。雨水９は矢印Ａのように紙幣処理装置の筐体表面を伝わってＢ部に溜り水滴１０となる。更に雨水９が流れ込むと、重力に負けて水滴１０は透明板３上に落下する。透明板３は親水性が大きいので、図６に示すように透明板３の表面に水の膜１１を形成する。例えば、紙幣通過センサ８が反射型センサの場合、内部には、発光部１２と受光部１５があり、紙幣が挿入されない場合は、発光部１２から出た光１３は、透明板３により屈折して図の実線の光路を描く。このときは、受光部１５には光が受光されないので、紙幣が挿入されていないと認識する。ところが、雨水９により透明板３の表面に水の膜１１が形成されると、透明板３から出射した光は、点線のように更に屈折して散乱、或いは乱反射して光１４となって受光部１５に入射する場合がある。これにより、紙幣処理装置は紙幣が挿入されたものと判断して、紙幣を内部に搬送するモータを駆動してしまうといった誤動作が発生する。
また、従来技術として特許文献１には、紙幣挿入口から侵入した液物が紙幣識別装置を装着した機器の内部へ流れ込ませないようにした紙幣識別装置について開示されている。
【特許文献１】特許第３２９１７０４号
【発明の開示】
【発明が解決しようとする課題】
【０００３】
特許文献１に開示されている従来技術は、紙幣挿入口から流し込まれた液物は、まず紙幣挿入口の底面を構成する傾斜面に形成された液物排出孔を介し紙幣識別装置の外部に迅速に排出され、また装置本体内に侵入した液物は、装置本体の底面下方に配設された液物収集部に一旦収集され、その後この液物収集部に連設された液物案内手段を介し紙幣識別装置が装着された機器の外部へ迅速に排出されるように構成されているため、外部からの液物の浸入を防ぐことはできるが、紙幣挿入口が狭くなり操作性が悪くなるといった問題がある。
本発明は、かかる課題に鑑みてなされたものであり、センサ設置穴と排水穴を溝部により連通して、センサ設置穴を閉止する透明板上に形成された水の膜を溝部を介して排水穴に導いて水の膜を除去することにより、現状の操作性を維持しつつ、紙幣通過センサによる誤動作を低減した紙幣ガイドトレイを備えた紙幣処理装置を提供することを目的とする。
【課題を解決するための手段】
【０００４】
本発明はかかる課題を解決するために、請求項１は、紙幣を紙幣取扱装置内部に導く紙幣投入口に投入される紙幣下面をガイドする紙幣ガイドトレイと、該紙幣ガイドトレイに形成された排水穴と、前記排水穴よりも紙幣投入方向下流側の紙幣ガイドトレイ底面に形成したセンサ設置穴と、を備えた紙幣投入部の防水構造であって、前記センサ設置穴と前記排水穴とを連通する溝部を備えたことを特徴とする。
外部から浸入する液体（例えば雨水）は、装置外部に露出配置された紙幣ガイドトレイに最も浸入し易い。紙幣ガイドトレイには、紙幣が挿入されたことを検知する紙幣通過センサに光を導くためのセンサ設置穴が備えられている。しかし、長時間に亘って雨水が吹きつけられると、徐々に紙幣ガイドトレイの隙間を伝わって雨水が内部に浸入し、水滴が生成されてセンサ設置穴に落下して、紙幣通過センサに水滴が付着する虞がある。そこで本発明では、センサ設置穴と排水穴を連通する溝部を紙幣ガイドトレイに構成して、その溝部を介してセンサ設置穴に付着した水滴を毛細管現象により吸水して排水穴に排水する。これにより、現状の操作性を維持しつつ、紙幣通過センサによる誤動作を低減することができる。
【０００５】
請求項２は、前記センサ設置穴は、その周縁に沿って前記紙幣ガイドトレイ底面に形成した段差凹陥部を有しており、該段差凹陥部内に嵌合配置されて前記センサ設置穴を被覆する透明板を配置したことを特徴とする。
外部から浸入する液体（例えば雨水）は、装置外部に露出配置された紙幣ガイドトレイに最も浸入し易い。紙幣ガイドトレイには、紙幣が挿入されたことを検知する紙幣通過センサに光を導くためのセンサ設置穴が備えられている。このセンサ設置穴は、対向する位置に設けられた紙幣通過センサが設けられているので、表面に透明板（ガラス板）をはめ込んで雨水が浸入しないようにする。しかし、長時間に亘って雨水が吹きつけられると、徐々に紙幣ガイドトレイの隙間を伝わって雨水が内部に浸入し、水滴が生成されて透明板に落下する。透明板は親水性が強いため、表面に水の膜を形成する。これにより、光が散乱、或いは乱反射して紙幣通過センサが誤検知する虞がある。そこで本発明では、センサ設置穴と排水穴を連通する溝部を紙幣ガイドトレイに構成して、その溝部を介して透明板上の水の膜を毛細管現象により吸水して排水穴に排水する。これにより、現状の操作性を維持しつつ、紙幣通過センサによる誤動作を低減することができる。
【０００６】
請求項３は、前記紙幣ガイドトレイを設定した状態において、前記透明板は前記排水穴より高い位置に配置されることを特徴とする。
液体は高い位置から低い位置に流れやすい。そこで本発明では、紙幣ガイドトレイを設定したときに、透明板が排水穴より高くなるように配置する。これにより、液体の排水をより容易にすることができる。
請求項４は、前記排水穴の形状は、非円形であることを特徴とする。
液体は表面張力により最小の形状になろうとする性質がある。即ち、最も表面積が小さい形は円形である。従って、排水穴が円形の場合は、液体により排水穴を塞いでしまう虞がある。そこで本発明では、排水穴を円形以外の形にする。これにより、排水穴に液体の膜を形成し難くすることができる。
【発明の効果】
【０００７】
本発明によれば、センサ設置穴と排水穴を連通する溝部を紙幣ガイドトレイに構成して、その溝部を介して透明板上の水の膜を吸水して排水穴に排水するので、現状の操作性を維持しつつ、紙幣通過センサによる誤動作を低減することができる。
また、紙幣ガイドトレイを設定したときに、透明板が排水穴より高くなるように配置するので、液体の排水をより容易にすることができる。
また、排水穴を円形以外の形にするので、排水穴に液体の膜を形成し難くすることができる。
【発明を実施するための最良の形態】
【０００８】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１（ａ）は本発明の紙幣処理装置の紙幣投入口にある紙幣投入部の外観斜視図であり、図１（ｂ）はその平面図である。尚、図５に示す紙幣処理装置に本発明の紙幣投入部４０を装着した場合として説明し、同じ構成要素には図５と同じ参照番号を付して説明する。
この紙幣投入部４０は、紙幣を紙幣取扱装置１７内部に導く紙幣投入口７と、紙幣投入口７に投入される紙幣下面をガイドする紙幣ガイドトレイ１と、紙幣ガイドトレイ１に形成された排水穴６と、排水穴６よりも紙幣投入方向下流側の紙幣ガイドトレイ１の底面に形成したセンサ設置穴２と、センサ設置穴２内に配置された紙幣通過センサ８（図示せず）と、センサ設置穴２の周縁に沿って紙幣ガイドトレイ１の底面に形成した段差凹陥部４と、段差凹陥部４内に嵌合配置されて紙幣通過センサ８上部の検知面を被覆する透明板３と、段差凹陥部４と排水穴６とを連通する溝部１６と、を備えて構成されている。
【０００９】
即ち、紙幣ガイドトレイ１には、紙幣が挿入されたことを検知する紙幣通過センサ８に光を導くためのセンサ設置穴２が備えられている。このセンサ設置穴２は、対向する位置に設けられた紙幣通過センサ８を保護するために、表面に透明板（ガラス板）３がはめ込まれている。しかし、長時間に亘って雨水が吹きつけられると、雨水９は矢印Ａのように紙幣処理装置の筐体表面を伝わってＢ部に溜り水滴１０が生成されて透明板３に落下する。透明板３は親水性が強いため、表面に水の膜を形成する。これにより、光が散乱、或いは乱反射して紙幣通過センサ８が誤検知する虞がある。誤検知する動作については、図６で説明したので説明を省略する。そこで本発明では、センサ設置穴２と排水穴６を連通する溝部１６を紙幣ガイドトレイ１に構成して、その溝部１６を介して透明板３上の水の膜を吸水して排水穴６に排水する。これにより、現状の操作性を維持しつつ、紙幣通過センサによる誤動作を低減することができる。
【００１０】
図２はセンサ設置穴２と排水穴６を連通する溝部１６の構成を説明するための拡大図である。同じ構成要素には図１と同じ参照番号を付して説明する。紙幣投入口に投入される紙幣下面をガイドする紙幣ガイドトレイ１に排水穴６を貫通して形成する。また、排水穴６よりも紙幣投入方向下流側の紙幣ガイドトレイ１の底面にセンサ設置穴２を形成し、センサ設置穴２の周縁に沿って紙幣ガイドトレイ１の底面に段差凹陥部４を形成する。そして、段差凹陥部４内に紙幣通過センサ８上部の検知面を被覆する透明板３を嵌合配置する。更に、段差凹陥部４と排水穴６とを連通する溝部１６を紙幣ガイドトレイ１に形成する。このとき、溝部１６は、透明板３上の液体を毛細管現象により吸水するように構成し、紙幣ガイドトレイ１を設定した状態において、透明板３は排水穴６より高い位置に配置されるのが好ましい。また、排水穴６の形状は、非円形であることがより好ましい。本実施形態では、Ｕ字型に形成しているが、非円形であれば他の形でもかまわない。尚、矢印Ｂは水滴が流れる方向を示している。
【００１１】
即ち、透明板３上の水の膜を吸水するためには、溝部１６を細くして、毛細管現象が起きやすい状態にする必要がある。これにより、簡単な構成で透明板３上の水の膜を吸水することができる。また、液体は高い位置から低い位置に流れやすいので、紙幣ガイドトレイ１を設定したときに、透明板３が排水穴６より高くなるように配置する。これにより、液体の排水をより容易にすることができる。また、液体は表面張力により最小の形状になろうとする性質がある。即ち、最も表面積が小さい形は円形である。従って、排水穴６が円形の場合は、液体により排水穴６を塞いでしまう虞がある。そこで本実施形態では、排水穴６を円形以外の形にする。これにより、排水穴６に液体の膜を形成し難くすることができる。
【００１２】
図３は図２をＡ−Ａ線で切断したときの断面図である。図３（ａ）は透明板３に水の膜１１が付着していないときの図であり、図３（ｂ）は透明板３に水の膜１１が付着しているときの図である。図３では透明板３と段差凹陥部４に隙間があるように図示されているが、実際は完全に密着して、例えば、接着剤等により接着されている。また、透明板３の表面の高さは、少なくとも溝部１６と同等か、溝部１６より低く構成される。更に、前記したように、紙幣ガイドトレイ１を設定したときに、透明板３が排水穴６より高くなるように配置する。以上のように構成することにより、図３（ｂ）に示すように、透明板３上に水の膜１１が形成された場合、透明板３の端部ａから溝部１６の毛細管により水が吸引され、水１１ａが排水穴６から排水される。その結果、透明板３の表面に付着した水の膜１１が除去される。
【図面の簡単な説明】
【００１３】
【図１】（ａ）は本発明の紙幣処理装置の紙幣投入口にある紙幣投入部の外観斜視図であり、（ｂ）はその平面図である。
【図２】センサ設置穴２と排水穴６を連通する溝部１６の構成を説明するための拡大図である。
【図３】（ａ）（ｂ）は図２をＡ−Ａ線で切断したときの断面図である。
【図４】（ａ）は従来の紙幣処理装置の紙幣投入口にある紙幣投入部の外観斜視図であり、（ｂ）はその正面図である。
【図５】紙幣投入部５０を紙幣処理装置に装着した場合に、雨水による誤検知を説明するための断面図である。
【図６】誤検知する動作について説明する模式図である。
【符号の説明】
【００１４】
１  紙幣ガイドトレイ、２  センサ設置穴、３  透明板、４  段差凹陥部、５  リブ、６  排水穴、７  紙幣投入口、８  紙幣通過センサ、９  雨水、１０  水滴、１１  水の膜、１２  発光部、１３、１４  光、１５  受光部、１６  溝部、１７  紙幣処理装置
【図１】
2010092276.tif 000003
【図２】
2010092276.tif 000004
【図３】
2010092276.tif 000005
【図４】
2010092276.tif 000006
【図５】
2010092276.tif 000007
【図６】
2010092276.tif 000008